(57)【要約】      （修正有）【課題】スマートホン等の数インチサイズのタッチ画面において片手での操作が効率的なＵＩを提供する。【解決手段】普遍的なメニューを最上部に配置し、個別プログラムメニュー１０３を画面の最下部に配置することによって、端末装置を片手で把持していても親指一本で個別プログラムの起動ができるようにした。さらに、最下部で選択された個別プログラムを画面中央部の個別機能アイコンメニュー１０２で表示させているために上位の階層のメニューが画面下部に配置されることとなる結果ユーザが戸惑うことのないように、最上部の基本バー１０１に個別プログラム名を表示する領域を設けた。このようなメニューの上下階層と、視覚的な上下配置が混乱することのないように配慮した画面構成とした。【選択図】図１
2012155618.tif 000002
【特許請求の範囲】
【請求項１】
タッチ画面を備えた携帯端末において、
ユーザの入力指示により画面上のアイコンの配置や個別プログラムの起動を制御する画面制御手段を有しており、
前記画面制御手段は、基本プログラムが起動されると、画面最上部において少なくとも個別プログラム名とメニューアイコンを表示する基本バーと、
画面最下部において、２以上の個別プログラムの起動アイコンを列挙表示する個別プログラムメニューと、
画面中央部において、前記個別プログラムメニューに表示された少なくとも１の個別プログラムで機能する個別機能アイコンを列挙表示してなる個別機能アイコンメニューと、
からなるインターフェース画面を有する携帯端末。
【請求項２】
前記個別機能アイコンメニューは少なくとも２画面以上用意された請求項１記載のインターフェース画面を有する携帯端末。
【請求項３】
前記画面最上部の基本バーは、画面中央部の個別機能アイコンメニューのアイコンが指定され画面中央部に個別機能画面が表示された場合にもその表示状態を維持している請求項１または２記載のインターフェース画面を有する携帯端末。
【発明の詳細な説明】
【技術分野】
【０００１】
本発明は、スマートホン等の携帯端末の限定された画面におけるユーザインターフェースに関する
【背景技術】
【０００２】
携帯電話のアイコン表示に関する技術としては、特開２０１０―９２８７号公報がある。一方、近年携帯端末としては携帯電話に代わって、パーソナルコンピュータの機能を備えたスマートホンが普及してきている。これらのスマートホンでは、携帯電話に比べて比較的大きな３．５インチ程度のタッチパネル画面を有しており、指先で表示された画面を操作することでキーボードやマウスに代わる入力操作や画面に関する操作が可能になっている。
代表的なアップル社のスマートホンであるｉＰｈｏｎｅでは、フリックという画面に対する指先の動作による画面遷移、ピンチイン・ピンチアウトという２本指での画面の拡大・縮小指示が可能になっている。
【先行技術文献】
【特許文献】
【０００３】
【特許文献１】特開２０１０―９２８７
【０００４】
しかし、このようなユーザインターフェース（ＵＩ）は画期的なものではあるが、ゲーム等のように電車等の移動手段の中で片手で操作することを想定していないため、両手の掌でスマートホンを把持しながら親指で操作しなければならず、使いにくいものであった。
【発明の概要】
【発明が解決しようとする課題】
【０００５】
本発明はこのような点に鑑みてなされたものであり、スマートホン等の数インチサイズのタッチ画面において片手での操作が効率的なＵＩを提供することを技術的課題とする。
【課題を解決するための手段】
【０００６】
本発明は、前記課題を解決するために、以下の手段を採用した。
本発明の請求項１は、タッチ画面を備えた携帯端末において、ユーザの入力指示により画面上のアイコンの配置や個別プログラムの起動を制御する画面制御手段を有しており、前記画面制御手段は、基本プログラムが起動されると、画面最上部において少なくとも個別プログラム名とメニューアイコンを表示する基本バーと、画面最下部において、２以上の個別プログラムの起動アイコンを列挙表示する個別プログラムメニューと、画面中央部において、前記個別プログラムメニューに表示された少なくとも１の個別プログラムで機能する個別機能アイコンを列挙表示してなる個別機能アイコンメニューと、からなるインターフェース画面を有する携帯端末である。
【０００７】
本発明の請求項２は、前記個別機能アイコンメニューは少なくとも２画面以上用意された請求項１記載のインターフェース画面を有する携帯端末である。
【０００８】
本発明の請求項３は、前記画面最上部の基本バーは、画面中央部の個別機能アイコンメニューのアイコンが指定され画面中央部に個別機能画面が表示された場合にもその表示状態を維持している請求項１または２記載のインターフェース画面を有する携帯端末である。
【発明の効果】
【０００９】
本発明によれば、スマートホン等の数インチサイズのタッチ画面において片手での操作が効率的なＵＩを提供することができる。
【図面の簡単な説明】
【００１０】
【図１】本発明の実施形態であるユーザインターフェース画面を示す説明図
【図２】実施形態のユーザインターフェース画面を示す説明図（２）
【図３】実施形態の携帯端末の外観を示す図
【発明を実施するための形態】
【００１１】
本発明を図に基づいて説明する。
図１および図２は、本発明の実施形態であるユーザインターフェース画面を示す説明図である。
本実施形態の携帯端末は、所謂スマートホンであり、代表例としてはアップル社のｉＰｈｏｎｅ、ｉＰａｄ、グーグル社のアンドロイドＯＳをインストールした韓国サムスン社のＧＡＬＡＸＹ  Ｓ、ＧＡＬＡＸＹ  ＴＡＢ等が挙げられる。
【００１２】
この携帯端末３０１は、たとえば図３に示すようにその表面に通話用スピーカ３０１ａ、３．５インチサイズの液晶ディスプレイ３０１ｂ、ホームボタン３０１ｃを有しており、その側面にはバイブレーションスイッチ３０１ｄ、音量調節ボタン３０１ｅが配置されている。
【００１３】
携帯端末３０１の内部には、図示を省略するが、中央処理装置（ＣＰＵ）およびメインメモリ（ＭＭ）を中心に、バス（ＢＵＳ）で接続されたフラッシュメモリ（ＦＭ）を有している。当該フラッシュメモリ（ＦＭ）は、十数ギガバイト程度の容量がありＭＰ３形式の音楽データ、アプリケーションプログラム、ユーザデータ等が格納されている。
なお、前述の通話用スピーカ３０１ａ、液晶ディスプレイ３０１ｂ、ホームボタン３０１ｃ等も前記バス（ＢＵＳ）に接続されている。
【００１４】
本実施形態の画面制御は、フラッシュメモリ（ＦＭ）から読み出された基本プログラムをバス（ＢＵＳ）およびメインメモリ（ＭＭ）を介して中央処理装置（ＣＰＵ）が読み込んで実行処理することによって実現される機能である。
【００１５】
基本プログラムが起動されると、中央処理装置（ＣＰＵ）は、液晶ディスプレイ３０１ｂに図１に示す画面を表示させる。
この画面の最上部には基本バー１０１が表示されており、この基本バーには、戻りボタン１０１ａと、画面のリロードボタン１０１ｂと、個別プログラム名表示領域１０１ｃと、メニューボタン１０１ｄとを有している。戻りボタン１０１ａは本画面の一つ前に表示されていた画面に復帰させるためのボタンであり、リロードボタン１０１ｂは当該画面を再読込するためのボタンである。また、個別プログラム名表示領域１０１ｃは、画面中央部１０２に表示された個別プログラム機能アイコン群が、最下部のどのプログラムアイコンの下位に属しているのかを文字で表示する領域である。同図では、最下部の個別プログラムメニュー１０３の中で選択状態となっている「コロニーな生活☆ＰＬＵＳ」（本出願人の登録商標）という個別ゲームプログラム１０３ｂの略称である「Ｃｏｌｏｎｙ」の文字が表示されている。
【００１６】
画面中央部の個別機能アイコンメニュー１０２には、前記プログラムメニュー１０３で選択されたプログラムに属する個別機能プログラムを意味する個別機能アイコン１０２ａが列挙表示されている。
【００１７】
このように、本実施形態では、普遍的なメニューを最上部に配置するとともに、個別プログラムメニュー１０３を画面の最下部に配置することによって、当該端末装置を片手で把持していても親指一本で個別プログラムの起動ができるようになっている。
【００１８】
さらに、最下部で選択された個別プログラム１０３ｂを画面中央部の個別機能メニュー１０２で表示させているため、より上位の階層のメニューが画面下部に配置されることとなるため、ユーザが戸惑うことのないように、最上部の基本バーに個別プログラム名を表示１０１ｃする領域を設けている。このようにメニューの上下階層と、視覚的な上下配置が混乱することのないよう配慮された画面構成となっている。
【００１９】
なお、中央処理装置（ＣＰＵ）は、図１において「Ｃｈｅｃｋｉｎ」という個別機能アイコン１０２ａが指定された結果図２に示すゲーム画面１０４とゲーム画面補助メニュー１０５に遷移した場合でも、最上部の基本バー１０１はその表示状態を維持するように制御している。
【００２０】
このように基本バー１０１は普遍的に表示させておくことで、メニューアイコン１０１ｄを指定することでただちにメニューの基本画面に復帰することができる。
【００２１】
なお、本実施形態では画面サイズが３．５インチのタッチパネルで構成されたスマートホンで説明したが、これに限らず画面サイズは９インチ乃至３インチの範囲であればよい。
【産業上の利用可能性】
【００２２】
本発明はスマートホン等の携帯端末に利用できる。
【符号の説明】
【００２３】
１０１  基本バー
１０１ａ  戻るボタン
１０１ｂ  リロードボタン
１０１ｃ  個別プログラム名表示領域
１０１ｄ  メニューボタン
１０２  個別機能アイコンメニュー
１０２ａ  個別機能アイコン
１０３  個別プログラムメニュー
１０４  ゲーム画面
１０５  ゲーム画面補助メニュー
３０１  携帯端末
３０１ａ  通話用スピーカ
３０１ｂ  液晶ディスプレイ
３０１ｃ  ホームボタン
３０１ｄ  バイブレーションボタン
３０１ｅ  音量調節ボタン
【図１】
2012155618.tif 000003
【図２】
2012155618.tif 000004
【図３】
2012155618.tif 000005